(57)【要約】【課題】紙状の被展示物と立体の被展示物との関連性を閲覧者に容易に想起させることが出来る展示用収納物を提供することを課題とする。【解決手段】紙状の被展示物が収納され該紙状の被展示物の表面を閲覧者に視認させるための第一窓部１１ａ、１１ｂを有する第一収納部４１と、立体の被展示物が収納され該立体の被展示物を閲覧者に視認させるための第二窓部１２と所定の深さを有し前記立体の被展示物が設置される容器３０とを有する第二収納部４２と、を備え、第一窓部１１ａ、１１ｂおよび第二窓部１２が単一の展示領域を形成するフレーム１０の該展示領域内に設けられることで、前記紙状の被展示物と前記立体の被展示物とを単一の展示領域内に展示する展示用収納物１とした。【選択図】図１
2008188331.tif 000002
【特許請求の範囲】
【請求項１】
紙状の被展示物が収納され、該紙状の被展示物の表面を閲覧者に視認させるための第一窓部を有する第一収納部と、
立体の被展示物が収納され、該立体の被展示物を閲覧者に視認させるための第二窓部と所定の深さを有し前記立体の被展示物が設置される容器とを有する第二収納部とを備え、
前記第一窓部および前記第二窓部が、単一の展示領域を形成するフレームの該展示領域内に設けられることで、前記紙状の被展示物と前記立体の被展示物とを単一の展示領域内に展示する、
展示用収納物。
【請求項２】
前記立体の被展示物は、人またはペットの手あるいは足が押し付けられることで手形または足形が記録される粘土である、
請求項１に記載の展示用収納物。
【請求項３】
前記第二窓部は、該窓部の内外を透光性の部材で仕切ることで、前記第二収納部に収納された被展示物を閲覧者に視認させる、
請求項１または２に記載の展示用収納物。
【請求項４】
前記容器は、前記第二窓部側の面に開口部を有する直方体状の容器であり、該開口部の周辺部内縁に被展示物の脱落を防止する脱落防止手段を有する、
請求項１から３の何れかに記載の展示用収納物。
【請求項５】
前記容器は、前記フレームに対して着脱自在に固定される、
請求項１から４の何れかに記載の展示用収納物。
【請求項６】
前記第一収納部は、前記紙状の被展示物の裏面を支持する裏板部を更に有し、
前記容器は、前記フレームに配置された状態で前記裏板部によって移動を制限されることで、前記フレームに対して固定される、
請求項５に記載の展示用収納物。
【発明の詳細な説明】
【技術分野】
【０００１】
本発明は、被展示物を収納して展示するための展示用収納物に関する。
【背景技術】
【０００２】
従来、写真を展示するための展示用収納物として、フレーム周縁部に装飾体を装着可能な係止孔を備えた写真スタンドがある。
【特許文献１】実公平６−４９２５９号公報
【発明の開示】
【発明が解決しようとする課題】
【０００３】
従来、展示用収納物は、思い出の写真等を閲覧できるように収納し、閲覧者に鑑賞させるものである。ここで、展示用収納物に収納される写真等に関連する立体物（例えば、写真撮影当時の被写体の手形が記録された粘土や、写真撮影と同時期に購入した土産品等）を展示したい場合、展示用収納物の横に展示するのが通常である。
【０００４】
しかし、従来の展示方法では、展示用収納物に収納される写真等とその近傍に展示される立体物とは一体感に欠け、閲覧者はそれらの展示物の関連性を想起しにくい。
【０００５】
本発明は、上記した問題に鑑み、紙状の被展示物と立体の被展示物との関連性を閲覧者に容易に想起させることが出来る展示用収納物を提供することを課題とする。
【課題を解決するための手段】
【０００６】
本発明は、上記した課題を解決するために、紙状の被展示物と立体の被展示物とを単一の展示領域内に展示することが可能な展示用収納物を構成することとした。
【０００７】
詳細には、本発明は、紙状の被展示物が収納され、該紙状の被展示物の表面を閲覧者に視認させるための第一窓部を有する第一収納部と、立体の被展示物が収納され、該立体の被展示物を閲覧者に視認させるための第二窓部と所定の深さを有し前記立体の被展示物が設置される容器とを有する第二収納部と、を備え、前記第一窓部および前記第二窓部が、単一の展示領域を形成するフレームの該展示領域内に設けられることで、前記紙状の被展示物と前記立体の被展示物とを単一の展示領域内に展示する、展示用収納物である。
【０００８】
第一収納部は、紙状の被展示物を収納し、展示するための収納部であり、閲覧のための第一窓部を有する。この第一窓部は、紙状の被展示物が収納された状態で、該紙状の被展示物の表面が第一窓部を通して視認可能な位置に設けられる。
【０００９】
第二収納部は、立体の被展示物を収納し、展示するための収納部であり、閲覧のための第二窓部を有する。第二窓部は、立体の被展示物が収納された状態で、該立体の被展示物が第二窓部を通して視認可能な位置に設けられる。また、容器が有する所定の深さとは、立体の被展示物の奥行に応じた深さであり、即ち立体の被展示物を設置することが可能な程度の深さである。
【００１０】
更に、本発明において、紙状の被展示物を閲覧するための第一窓部と、立体の被展示物を閲覧するための第二窓部とは、単一の展示領域内に設けられる。この単一の展示領域は、フレームによって形成される領域であり、閲覧者はこの領域を、関連する一まとまりの被展示物が閲覧可能な領域であると認識する。
【００１１】
このため、本発明に係る展示用収納物に拠れば、紙状の被展示物と立体の被展示物との関連性を閲覧者に容易に想起させることが可能である。
【００１２】
また、本発明における前記立体の被展示物は、人またはペットの手あるいは足が押し付けられることで手形または足形が記録される粘土であってもよい。
【００１３】
紙状の被展示物である写真と共に展示され得る立体物として、手形または足形が記録された粘土がある。このような手形等は、共に展示される写真の被写体の撮影当時の手形等を記録したものであるため、閲覧者に対して写真と手形等との関連性を想起させることによって閲覧者に与える感銘の度合いが大きい。
【００１４】
また、本発明における前記第二窓部は、該窓部の内外を透光性の部材で仕切ることで、前記第二収納部に収納された被展示物を閲覧者に視認させてもよい。
【００１５】
第二窓部を透光性の部材で仕切られた窓とすることで、第二収納部に収納された立体の被展示物を、劣化や埃の付着から保護することが可能となる。
【００１６】
また、本発明における前記容器は、前記第二窓部側の面に開口部を有する直方体状の容器であり、該開口部の周辺部内縁に被展示物の脱落を防止する脱落防止手段を有してもよい。
【００１７】
脱落防止手段を有することで、展示用収納物を縦に設置して展示する場合や、容器に粘土を入れた状態で手形を採取する場合等に、被展示物の脱落を防止することが可能となる。
【００１８】
また、本発明における前記容器は、前記フレームに対して着脱自在に固定されてもよい。容器が着脱自在であることで、被展示物の交換を行うことが可能となる。
【００１９】
また、本発明における前記第一収納部は、前記紙状の被展示物の裏面を支持する裏板部を更に有し、前記容器は、前記フレームに配置された状態で前記裏板部によって移動を制限されることで、前記フレームに対して固定されてもよい。
【００２０】
裏板部によって容器を固定することで、容器をフレームに対して着脱自在に簡易に固定することが可能となる。例えば、容器をフレームに対してスライドさせて設置する設置方法を採用している場合に、裏板部によって容器が取り外し方向にスライドしないように制限することで、容器をフレームに対して固定することが出来る。
【発明の効果】
【００２１】
本発明によって、紙状の被展示物と立体の被展示物との関連性を閲覧者に容易に想起させることが出来る展示用収納物を提供することが可能となる。
【発明を実施するための最良の形態】
【００２２】
本発明に係る展示用収納物の実施の形態について、図面に基づいて説明する。
【００２３】
図１は、本実施形態に係る展示用収納物１の概要を示す斜視図である。展示用収納物１は、第一収納部４１および第二収納部４２を備える。第一収納部４１は、フレーム１０の一部であり紙状の被展示物の表面を閲覧者に視認させるための第一窓部１１ａ、１１ｂと、第一窓部１１ａ、１１ｂの裏に設けられる裏板部２０とを有する。第二収納部４２は、フレーム１０の一部であり、立体の被展示物を閲覧者に視認させるための第二窓部１２と、所定の深さを有し立体の被展示物が設置される容器３０とを有する。
【００２４】
本実施形態において、紙状の被展示物は、子供の写真および展示物の情報を示すメモである。また、立体の被展示物は、子供の手形が記録された紙粘土である。
【００２５】
また、展示用収納物１は、背面に支え部２１を備え、展示用収納物１の底辺（接地辺）と支え部２１とによって設置面５０に設置される。
【００２６】
図２は、本実施形態におけるフレーム１０の正面図である。フレーム１０は、関連する一まとまりの被展示物を閲覧可能な領域であると閲覧者によって認識される単一の展示領域を形成し、この単一の展示領域内に、写真展示用窓部１１ａ、メモ展示用窓部１１ｂおよび手形展示用窓部１２を有する。写真展示用窓部１１ａおよびメモ展示用窓部１１ｂは本発明の第一窓部１１ａ、１１ｂに相当し、手形展示用窓部１２は本発明の第二窓部１２に相当する。
【００２７】
写真展示用窓部１１ａには、「ＭＹ  ＦＩＲＳＴ  ＹＥＡＲ」「１  Ｍｏｎｔｈ」「２Ｍｏｎｔｈｓ」等の、フレーム１０に刻印された語句が添えられている。これは、子供の誕生からひと月ごとに１年間撮影された写真を単一の展示領域内に展示し、子供の成長を時系列で閲覧者に鑑賞させる用途に適している。また、「ＭＹ  ＦＩＲＳＴ  ＹＥＡＲ」の語句が添えられたサイズの大きな写真展示用窓部１１ａは、生まれたときの写真、生後１年の写真、生後一年以内に撮影された写真のうちお気に入りの写真等が展示されることが想定されている。
【００２８】
また、２箇所に設けられたメモ展示用窓部１１ｂは、子供の名前や年月日等の情報が記載された紙片（メモ）等を展示する用途に適している。更に、手形展示用窓部１２には、子供の手を押し当てることで採取された手形が記録された紙粘土が展示される。
【００２９】
図３は、本実施形態におけるフレーム１０の背面図である。フレーム１０の背面には、フレーム１０の外周に沿って設けられた枠部１３と、枠部１３内側の領域を区切る格子部１４と、枠部１３および格子部１４によって現出する４つのセル１５それぞれに嵌め込まれた透光性のガラス板１８と、枠部１３に設けられた止め部１６ａ、１６ｂと、セル１５のうち手形展示用窓部１２に対応するセル１５を構成する枠部１３または格子部１４に設けられた４つの溝部１７ａ、１７ｂ、１７ｃ、１７ｄとが設けられる。
【００３０】
図４は、本実施形態における裏板部２０を示す図である。裏板部２０は、フレーム１０の背面に設けられることで紙状の被展示物を背面から支持する。また、裏板部２０は、展示用収納物１を設置面５０に設置するための支え部２１を有する。
【００３１】
従来、フォトフレームの裏板部は、フレーム１０の背面のほぼ全体を覆うサイズと形状を有する。これに対して本実施形態に係る裏板部２０は、手形展示用窓部１２に対応する部分（後述する容器３０が設置される部分）が切り取られた形状を有している点に特徴を有する。
【００３２】
図５は、本実施形態における容器３０の概略を示す斜視図である。容器３０は、フレーム１０に設置される状態で手形展示用窓部１２に面する側に開口部３１を有する直方体状の容器３０である。また、その側面にフレーム１０の４つの溝部１７ａ、１７ｂ、１７ｃ、１７ｄに夫々対応する４つの突起部３２ａ、３２ｂ、３２ｃ、３２ｄを有する。また、容器３０は、手形を採取するのに必要な量の紙粘土を設置するために十分な深さを有する。即ち、開口部３１から容器３０の底までの深さは、設置する紙粘土の量に基づいて決定される。
【００３３】
次に、本実施形態に係る展示用収納物１を用いた展示物の組立方法を説明する。はじめに、ユーザは包装から紙粘土を取り出し、この紙粘土を容器３０内に設置する。紙粘土は、容器３０内全体に広がるように設置されることが好ましい。また、ユーザは紙粘土を、容器３０の開口部３１を越えない厚みに均す。紙粘土が容器３０の開口部３１の高さを超える場合、その部分を均すか、ヘラ等を用いて開口部３１の高さを超えてしまった紙粘土を除去する。
【００３４】
容器３０に紙粘土を設置した後、ユーザは手形を採取する（図５を参照）。本実施形態では、容器３０に紙粘土が設置されているため、子供の手形をとる場合、ユーザが片手で容器３０を保持して子供の手の近くまで持って行き、残る片方の手で子供の手をとって容器３０内の紙粘土に掌を押し当てることで手形をとることが可能である。この点、従来、手形を取る際には粘土が広げられている床やテーブルまで子供を連れていって手形を採取する必要があったのと比べ、本実施形態に拠れば簡易に手形を採取することが出来る。続いて、ユーザは手形を記録した紙粘土を乾燥させる。
【００３５】
次に、ユーザは容器３０をフレーム１０に設置する。この際、枠部１３または格子部１４に設けられた溝部１７ａ、１７ｂ、１７ｃ、１７ｄに容器３０の突起部３２ａ、３２ｂ、３２ｃ、３２ｄを嵌め込むことで、容器３０はフレーム１０に設置される。図６は、本実施形態における溝部１７ｂの拡大斜視図である。ユーザは、フレーム１０の背面を上に向け、容器３０を持って突起部３２ａ、３２ｂ、３２ｃ、３２ｄが対応する溝部１７ａ、１７ｂ、１７ｃ、１７ｄの入口に挿入する（図６の破線矢印Ａを参照）。上から挿入された各突起部３２ａ、３２ｂ、３２ｃ、３２ｄが突き当たったところで、ユーザは容器３０をフレーム１０の上部方向（図６および図７の破線矢印Ｂ方向）へスライドさせ、フレーム１０に対して容器３０を設置する。
【００３６】
上記スライド方式によって、容器３０を簡易に設置し、且つ紙粘土に記録された手形を手形展示用窓部１２に対応する正確な位置に配置することが可能となる。なお、手形展示用窓部１２は、ガラス板１８によって手形が記録された紙粘土と外の空間とを隔絶するため、手形への埃の付着、劣化等を防止することが可能である。
【００３７】
ここで、ユーザは写真展示用窓部１１ａおよびメモ展示用窓部１１ｂに対応するセル１５内に写真及びメモを配置し、配置した写真及びメモの上に各セル１５とほぼ同サイズの板状のスペーサ（図示は省略する）を配置する。その後、ユーザは裏板部２０をフレーム１０の背面から被せ、止め部１６ａ、１６ｂを用いて裏板部２０を固定し、展示用収納物１を用いた展示品を完成させる。
【００３８】
図８は、裏板部２０の固定が完了した状態の展示用収納物１の背面図である。この状態で、スペーサが裏板部２０によってフレーム１０（ガラス板１８）の表面方向へ付勢されることで、写真およびメモはスペーサとガラス板１８とによって挟持される。また、裏板部２０によって容器３０が取り外し方向（破線矢印Ｂの反対方向）にスライドすることが制限され、容器３０はフレーム１０に対して固定される。
【００３９】
図９は、設置された状態の展示用収納物１の側面図である。展示用収納物１は、支え部２１を用いて設置面５０に設置される。本実施形態において、容器３０は、フレーム１０の接地辺から所定の距離Ｄを有する位置に固定される。この所定の距離Ｄは、展示用収納物１を設置する場合のフレーム１０の設置面５０に対する角度と容器３０のフレーム１０からの突出量とに基づいて、容器３０がフレーム１０背面に突出していることが設置に際して障害とならないように定められる。
【００４０】
本実施形態に拠れば、写真やメモ等と、紙粘土に記録された手形との関連性を閲覧者に
容易に想起させることが出来る展示用収納物１を提供することが可能となる。より具体的には、子供の成長の記録を、写真のみならず立体物である手形も併せて同一のフレーム１０の展示領域内に展示することで、写真等と手形とが別々に展示されていた場合に比して、閲覧者により大きな感銘を与える効果的な展示が可能となる。
【００４１】
＜その他の実施形態＞
以下、本発明に係る展示用収納物１のその他の実施の形態を説明する。
【００４２】
図１０は、本実施形態における容器３０Ｂの断面図である。本実施形態に係る容器３０Ｂは、底部に突条部３３を有する。容器３０Ｂ内に設置された紙粘土が乾燥に伴って収縮し、突条部３３を掴むことで、紙粘土の脱落を防止することが出来る。展示用収納物１のその他の構成に関しては、先述の実施形態と同様である。
【００４３】
図１１は、本実施形態における容器３０Ｃの概略を示す斜視図である。本実施形態に係る容器３０Ｃは、開口部３１の内縁に爪部３４を有する。爪部３４によって紙粘土の開口部３１方向への移動が制限されることで、紙粘土が容器３０Ｃ内から脱落することを防止出来る。展示用収納物１のその他の構成に関しては、先述の実施形態と同様である。
【図面の簡単な説明】
【００４４】
【図１】実施形態に係る展示用収納物の概要を示す斜視図である。
【図２】実施形態におけるフレームの正面図である。
【図３】実施形態におけるフレームの背面図である。
【図４】実施形態における裏板部を示す図である。
【図５】実施形態における容器の概略を示す斜視図である。
【図６】実施形態における溝部の拡大斜視図である。
【図７】フレームに対する容器の取り付け方法を示す図である。
【図８】裏板部の固定が完了した状態の展示用収納物の背面図である。
【図９】設置された状態の展示用収納物の側面図である。
【図１０】実施形態における容器の断面図である。
【図１１】実施形態における容器の概略を示す斜視図である。
【符号の説明】
【００４５】
１  展示用収納物
１０  フレーム
１１ａ、１１ｂ  第一窓部
１２  第二窓部
１３  枠部
１４  格子部
１５  セル
１６ａ、１６ｂ  止め部
１７ａ、１７ｂ、１７ｃ、１７ｄ  溝部
１８  ガラス板
２０  裏板部
２１  支え部
３０  容器
３１  開口部
３２ａ、３２ｂ、３２ｃ、３２ｄ  突起部
３３  突条部
３４  爪部
４１  第一収納部
４２  第二収納部
【図１】
2008188331.tif 000003
【図２】
2008188331.tif 000004
【図３】
2008188331.tif 000005
【図４】
2008188331.tif 000006
【図５】
2008188331.tif 000007
【図６】
2008188331.tif 000008
【図７】
2008188331.tif 000009
【図８】
2008188331.tif 000010
【図９】
2008188331.tif 000011
【図１０】
2008188331.tif 000012
【図１１】
2008188331.tif 000013